(57)【要約】      （修正有）【課題】機能性とデザイン性を両立させた薬剤付き紙コップセットを提供する。【解決手段】折畳み式の紙コップにフレーバー剤もしくは薬剤が内面塗布、内面含浸又は内包された折畳み式薬剤付き紙コップと、紙コップを収容する手の平サイズの薄型携帯容器とから成る紙コップセットである。容器は、筒状の蓋箱部材４と、身箱部材５と、から成るスリーブ箱３であって、蓋箱部材の表面には親指サイズの貫通窓４ａが設けられ、折畳まれた状態の紙コップ２０の一側面に、貫通窓を介して指を押し当てスライドさせることにより、容器の開閉がなされる構成とされる。貫通窓は、折畳まれた状態の紙コップの一側面の形状を縮小した相似形であり、紙コップは、上端部が封止され、上方部には切り取り用のミシン目６が設けられる。【選択図】図３
0003212432.tif 000002
【実用新案登録請求の範囲】
【請求項１】
折畳み式の紙コップにフレーバー剤もしくは薬剤が内面塗布、内面含浸又は内包された折畳み式薬剤付き紙コップと、前記紙コップを収容する手の平サイズの薄型携帯容器とから成る紙コップセットであって、
前記容器は、筒状の蓋箱部材と、身箱部材と、から成るスリーブ箱であって、
前記蓋箱部材の表面には親指サイズの貫通窓が設けられ、
折畳まれた状態の前記紙コップの一側面に、前記貫通窓を介して指を押し当てスライドさせることにより、前記容器の開閉がなされることを特徴とする薬剤付き紙コップセット。
【請求項２】
前記貫通窓は、折畳まれた状態の前記紙コップの一側面の形状を縮小した相似形であることを特徴とする請求項１に記載の薬剤付き紙コップセット。
【請求項３】
前記紙コップは、上端部が封止され、上方部には切り取り用のミシン目が設けられたことを特徴とする請求項１又は２に記載の薬剤付き紙コップセット。
【請求項４】
折畳まれた状態の前記紙コップの少なくとも一側面には、前記フレーバー剤もしくは前記薬剤の種類又は量の少なくとも何れかを想起させるデザインが施されたことを特徴とする請求項１〜３の何れかに記載の薬剤付き紙コップセット。
【請求項５】
何も内面塗布、内面含浸又は内包されていない折畳み式紙コップが更に設けられ、前記薬剤付き紙コップに併せて、前記容器に収容され、同様に、折畳まれた状態の紙コップの一側面に、前記貫通窓を介して指を押し当てスライドさせることにより、前記容器の開閉がなされることを特徴とする請求項１〜４の何れかに記載の薬剤付き紙コップセット。
【考案の詳細な説明】
【技術分野】
【０００１】
本考案は、携帯用の嗽（うがい）用具に関するものである。
【背景技術】
【０００２】
一般に、風邪等の感染症予防の対策としては、嗽や手洗いの励行が挙げられる。そのため、近年では、健康意識の高まりから、ビジネスや旅行に出かける際にも嗽薬等を携行する人は多い。しかしながら、例えば一般的なコップは、陶器や硬質の樹脂等で形成されているため、必ずしも携帯性が高いとはいえない。また、嗽薬を別途携帯するとなるとさらに携帯性が低下するという問題がある。
そこで、携帯用の折り畳みコップ内に嗽薬を設け、コップを拡げて水を注ぐことにより、嗽薬を溶解させて嗽用の水とする携帯用折り畳みコップが知られている（特許文献１を参照）。これは、折り畳みコップの内面に嗽薬を塗布することで、簡単に嗽用の水を作ることを可能としたものである。
これによれば、鞄や衣服のポケット等に該コップを忍ばせることで、外出先でも手軽に嗽を行うことが可能である。
しかしながら、外出先において行う嗽は一回とは限らない。数日間外出している場合であれば、何度も嗽をするであろうし、健康意識の高いユーザであれば、一日に何度も嗽をするということも考えられる。ところが、上記特許文献１に開示された携帯用折り畳みコップにおいては、複数のコップをどのように収容し、取り出すかについては考慮がされておらず、携帯性の点で問題がある。
【０００３】
一般に、ミントなどのタブレット製品では、名刺サイズで、複数回の取り出しが容易な、携帯性と機能性を兼ね備えた製品が販売されている。口中に清涼感をもたらすという意味では、嗽も同様であり、このようなニーズは嗽についても存在するといえる。
【０００４】
複数のコップの収容や取り出しにつき考慮したものとしては、つまみ用舌片が設けられた偏平型紙コップが知られている（特許文献２を参照）。これは、偏平に折り畳まれた紙コップが重ねられた状態で収容され、当該紙コップに設けられたつまみ用舌片をつまんで取り出せるようにしたものである。
上記特許文献２に開示された偏平型紙コップによれば、収容や取り出しは容易である。しかしながら、上記特許文献２に開示された偏平型紙コップは、交通機関の車両内やゴルフ場のロビーといった公共の場所に設置して使用することを前提にしているため、容器の形状が大きく携帯性が低いという問題がある。
【０００５】
複数の平型の紙コップを容器に入れて携帯するポケットサイズのパッケージも知られている（特許文献３を参照）。しかしながら、特許文献３に開示された容器は、上方に開口部が設けられているに過ぎず、鞄等に入れて持ち運ぶ際に紙コップが容器から抜け落ちてしまうという問題がある。また、かかる容器は、デザイン性についても高いとはいえない。
【先行技術文献】
【特許文献】
【０００６】
【特許文献１】特開昭６３−３１６１３号公報
【特許文献２】実開昭６２−５７０号公報
【特許文献３】実開平１−１４４０３８号公報
【考案の概要】
【考案が解決しようとする課題】
【０００７】
上記状況に鑑みて、本考案は、携帯性、機能性とデザイン性を両立させた薬剤付き紙コップセットを提供することを目的とする。
【課題を解決するための手段】
【０００８】
そこで、上記目的を達成すべく、本考案の薬剤付き紙コップセットは、折畳み式の紙コップにフレーバー剤もしくは薬剤が内面塗布、内面含浸又は内包された折畳み式薬剤付き紙コップと、紙コップを収容する手の平サイズの薄型携帯容器とから成る紙コップセットある。そして、容器は、筒状の蓋箱部材と、身箱部材と、から成るスリーブ箱であって、蓋箱部材の表面には親指サイズの貫通窓が設けられ、折畳まれた状態の紙コップの一側面に、貫通窓を介して指を押し当てスライドさせることにより、容器の開閉がなされる構成とされる。
容器であるスリーブ箱に、親指サイズの貫通窓が設けられたことにより、片手で容器を把持したまま、開閉動作を行うことができ、利便性が向上する。また、容器は、薄型で、しかも手の平サイズであることから、携帯性が高く、衣服のポケットなどに忍ばせて持ち歩き、外出先で手軽に嗽ができる形状となっている。
【０００９】
紙コップに内面塗布、内面含浸又は内包された薬剤としては、ポビドンヨード、セチルピリジニウム塩酸塩もしくはアズレンスルホン酸ナトリウムの少なくとも何れかを含むうがい薬や、口臭防止剤又は歯周病予防の口腔洗浄剤が用いられる。紙コップに内面塗布、内面含浸又は内包されたフレーバー剤とは、食品香料全般を指すが、中でもペパーミント系又はスペアミント系のミントのように清涼感の得られる香料や、果実・野菜風味の香料が好適に用いられる。
蓋箱部材の表面に設けられた親指サイズの貫通窓は、紙コップが貫通窓から脱落することを防止するため、紙コップが折畳まれた状態での正面形状よりも小さく設けられる。
【００１０】
本考案の薬剤付き紙コップセットにおいて、貫通窓は、折畳まれた状態の紙コップの一側面の形状を縮小した相似形であることが好ましい。
貫通窓の形状が、折畳まれた状態の紙コップの一側面の形状を縮小した相似形であることにより、容器内部に紙コップが収容されているか否かを一目で確認することができ、利便性が向上する。
また、小さな紙コップ形状が示されることにより、薬剤付き紙コップセットとしてのデザイン性も向上する。
【００１１】
本考案の薬剤付き紙コップセットにおいて、紙コップは、上端部が封止され、上方部には切り取り用のミシン目が設けられたことが好ましい。
薬剤やフレーバーが、例えば粉末状で紙コップ内に内包されているといった場合には、上端部が封止されることにより、上端部から薬剤やフレーバーがこぼれ落ちることを防止することができる。また、薬剤やフレーバーが、紙コップに内面塗布又は内面含浸されている場合には、上端部から薬剤やフレーバーがこぼれ落ちることは無いため、紙コップの上端部は開口していてもよいが、上端部が封止されることにより、上端部から異物が混入することを防止でき、衛生的な利用が可能となる。
【００１２】
本考案の薬剤付き紙コップセットにおいて、折畳まれた状態の紙コップの少なくとも一側面には、フレーバー剤もしくは薬剤の種類又は量の少なくとも何れかを想起させるデザインが施されたことが好ましい。
紙コップが折畳まれた状態での側面上に、薬剤等の種類や量を想起させるデザインが施されることにより、薬剤の種類等を容易に判別することが可能となる。
また、上記デザインを貫通窓から視認できることにより、容器に収容された状態でのデザイン性を高めることもできる。
【００１３】
本考案の薬剤付き紙コップセットは、何も内面塗布、内面含浸又は内包されていない折畳み式紙コップ（以下、「薬剤無し紙コップ」とする。）が更に設けられ、薬剤付き紙コップに併せて、容器に収容され、同様に、折畳まれた状態の紙コップの一側面に、貫通窓を介して指を押し当てスライドさせることにより、容器の開閉がなされることでもよい。
容器は、複数枚の紙コップを収容可能であるので、薬剤付き紙コップと併せて、薬剤無し紙コップを収容することで、必要に応じて、例えば、飲用の携帯用紙コップとして利用することも可能となる。
薬剤無し紙コップは、上端部が封止され、上方部には切り取り用のミシン目が設けられてもよい。これにより、上端部から異物が混入することを防止することができ、衛生的な利用が可能となる。
また、折畳まれた状態の薬剤無し紙コップの少なくとも一側面には、何も内面塗布、内面含浸又は内包されていないことを想起させるデザインが施されたことでもよい。
【考案の効果】
【００１４】
本考案の薬剤付き紙コップセットによれば、携帯性、機能性とデザイン性を両立させた薬剤付き紙コップセットを実現できるといった効果を有する。
【図面の簡単な説明】
【００１５】
【図１】薬剤付き紙コップの正面図であり、（１）はミシン目の切り取り前、（２）はミシン目の切り取り後を示している。
【図２】薬剤付き紙コップの使用説明図であり、（１）は使用前の胴部、（２）は使用時の胴部の状態を示している。
【図３】薬剤付き紙コップセットの斜視図であり、（１）はスリーブ箱を閉じた状態、（２）はスリーブ箱を開けた状態を示している。
【図４】実施例２の紙コップの正面図であり、紙コップが折畳まれた状態での側面上のデザインにつき、（１）は無地、（２）は縦縞模様、（３）は星型模様を示している。
【図５】実施例２の紙コップセットの斜視図であり、紙コップが折畳まれた状態での側面上のデザインにつき、（１）は無地、（２）は縦縞模様、（３）は星型模様を示している。
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、薬剤付き紙コップの正面図であり、（１）はミシン目の切り取り前、（２）はミシン目の切り取り後を示している。
図１（１）に示すように、薬剤付き紙コップ２は、胴部２ａ及び蓋部２ｂから成る。ミシン目６は、上端部２ｅと右端部２ｄの交点から左端部２ｃに向けて、斜めに設けられている。上端部２ｅは封止されており、薬剤付き紙コップ２を使用する際には、蓋部２ｂをミシン目６に沿って切り離して使用する。なお、ミシン目６は、例えば、上端部２ｅ及び下端部２ｆと平行に設けられていてもよい。
図１（２）に示すように、蓋部２ｂをミシン目６から切り離すと、胴部２ａの上端部２ｇは開口部となり、胴部２ａは紙コップとして利用可能となる。薬剤付き紙コップ２は、紙製であるため、使い捨てが可能である。
【００１８】
図２は、薬剤付き紙コップの使用説明図であり、（１）は使用前の胴部、（２）は使用時の胴部の状態を示している。
図２（１）に示すように、胴部２ａは使用前の状態においては、偏平形状を呈している。矢印（７ａ，７ｂ）に示す方向に胴部２ａを拡げると、図２（２）に示すように、胴部２ａはコップ形状を呈した状態となる。図２（１）においては図示しないが、下端部２ｆには、マチ部２ｈが胴部２ａの内側に折り込まれる形で設けられており、図２（２）に示すように、胴部２ａが拡げられた状態では、マチ部２ｈはコップの底部を形成することとなる。
胴部２ａの内面には嗽薬８が塗布されているため、ユーザ（図示せず）は、胴部２ａの内側に水を注ぎ込んで、塗布された嗽薬８を溶解させた上で、嗽をすることができる。
【００１９】
図３は、薬剤付き紙コップセットの斜視図であり、（１）はスリーブ箱を閉じた状態、（２）はスリーブ箱を開けた状態を示している。
図３（１）に示すように、薬剤付き紙コップセット１は、スリーブ箱３及び薬剤付き紙コップ２０から成る。スリーブ箱３は、蓋箱４及び身箱５から成り、スリーブ箱３の中に薬剤付き紙コップ２０が備えられている。スリーブ箱３は、薄型で、手の平サイズの形状である。本実施例では、薬剤付き紙コップ２０は４枚収容されているが、１０枚以上収容することも可能である。
【００２０】
蓋箱４には、貫通窓４ａが設けられており、蓋箱４の外側から、スリーブ箱３内に配置された薬剤付き紙コップ２０に触れることが可能な構造となっている。そのため、図３（１）に示すように、スリーブ箱３が閉じられている場合、片手で蓋箱４を把持した状態で、把持した手或はもう片方の手で、指を、貫通窓４ａを通して薬剤付き紙コップ２０に押し当てて、薬剤付き紙コップ２０が備えられた身箱５をスライドして開けることが可能な構造となっている。なお、スリーブ箱３は、一般的なスリーブ箱と同様に、蓋箱４を把持した状態で、身箱５を上下に押し出して開けることも可能である。
貫通窓４ａが設けられていることにより、ユーザは、スリーブ箱３を開けなくても、中に薬剤付き紙コップ２０が備えられていることを確認することが可能である。また、貫通窓４ａの形状は、薬剤付き紙コップ２０を縮小した相似形となっており、デザイン性も高められている。
【実施例２】
【００２１】
図４は、実施例２の紙コップの正面図であり、紙コップが折畳まれた状態での側面上のデザインにつき、（１）は無地、（２）は縦縞模様、（３）は星型模様を示している。
図４（１）に示すように、薬剤無し紙コップ２１は、胴部２１ａ及び蓋部２１ｂから成り、ミシン目６を切り離すことにより開封可能な構造となっている。薬剤無し紙コップ２１が折畳まれた状態での側面上のデザインは、無地となっており、一見して薬剤が塗布等されていない紙コップであることが分かりやすいデザインとなっている。例えば、手持ちの薬を飲むための水の容器として利用する場合には、薬剤無し紙コップ２１を利用できる。このように、薬剤無し紙コップ２１は、水だけを飲むことができるため有用である。また、飲み物を共有する場合にも有用である。
図４（２）に示すように、薬剤付き紙コップ２２は、胴部２２ａ及び蓋部２２ｂから成り、ミシン目６を切り離すことにより開封可能な構造となっている。薬剤付き紙コップ２２が折畳まれた状態での側面上のデザインは、縦縞模様となっている。予め説明書等で、縦縞模様のデザインが、嗽薬８が内面に塗布されたことを示す旨明示しておけば、外形上のデザインを見ただけで、嗽薬８が内面に塗布された薬剤付き紙コップ２２であることを認識できる。ミント等の香料が内面に塗布されず、嗽薬８だけが内面に塗布された薬剤付き紙コップ２２は、ミント等の香料が苦手なユーザ向けに有用である。
【００２２】
図４（３）に示すように、薬剤付き紙コップ２３は、胴部２３ａ及び蓋部２３ｂから成り、ミシン目６を切り離すことにより開封可能な構造となっている。薬剤付き紙コップ２３が折畳まれた状態での側面上のデザインは、星型模様となっている。予め説明書等で、星型模様のデザインが、嗽薬８及びミントの香料（図示せず）が内面に塗布されたことを示す旨明示しておけば、外形上のデザインを見ただけで、嗽薬８及びミントの香料が内面に塗布された薬剤付き紙コップ２３であることを認識できる。嗽薬８だけではなく、ミントの香料が内面に塗布された薬剤付き紙コップ２３は、より清涼感が得られるという利点がある。
このように、薬剤無し紙コップ２１及び薬剤付き紙コップ（２２，２３）を開封しなくても、外形上のデザインだけで容易に薬剤塗布の有無等を判別することができる。
【００２３】
図５は、実施例２の紙コップセットの斜視図であり、紙コップが折畳まれた状態での側面上のデザインにつき、（１）は無地、（２）は縦縞模様、（３）は星型模様を示している。
図５（１）に示すように、薬剤付き紙コップセット１１はスリーブ箱３、薬剤無し紙コップ２１及び薬剤付き紙コップ（図示せず）から成る。また、図５（２）に示すように、薬剤付き紙コップセット１２はスリーブ箱３及び薬剤付き紙コップ２２から成る。図５（３）に示すように、薬剤付き紙コップセット１３はスリーブ箱３及び薬剤付き紙コップ２３から成る。
【００２４】
薬剤付き紙コップセット（１１〜１３）においては、いずれもスリーブ箱３は、蓋箱４及び身箱５から成り、スリーブ箱３の中に薬剤無し紙コップ２１又は薬剤付き紙コップ（２２，２３）が備えられている。
また、いずれも蓋箱４には、貫通窓４ａが設けられており、蓋箱４の外側から、スリーブ箱３内に配置された薬剤無し紙コップ２１又は薬剤付き紙コップ（２２，２３）に触れることが可能な構造となっている。
貫通窓４ａが設けられていることにより、ユーザは、スリーブ箱３を開けなくても、貫通窓４ａから垣間見えるデザインを見ただけで、中にどのような紙コップが備えられていることを確認することが可能である。例えば、薬剤付き紙コップセット１１には、薬剤無し紙コップ２１と図示しない薬剤付き紙コップが収容されているが、図５（１）に示す場合は、貫通窓４ａを見ることで、一番手前に収容されているコップは薬剤無し紙コップ２１であることが分かる。
【００２５】
（その他の実施例）
（１）紙コップが折畳まれた状態での側面上のデザインを区別した上で、異なる種類の薬剤付き紙コップを１つのスリーブ箱３に収容してもよい。これにより、１つのスリーブ箱で複数の用途に利用可能な紙コップセットとすることができる。
（２）紙コップが折畳まれた状態での側面上に施すデザインは、図形に限られず、文字やその他の絵柄であってもよい。
【産業上の利用可能性】
【００２６】
本考案は、携帯用の嗽用具として有用である。
【符号の説明】
【００２７】
１，１１〜１３  薬剤付き紙コップセット
２，２０，２２，２３  薬剤付き紙コップ
２ａ，２１ａ〜２３ａ  胴部
２ｂ，２１ｂ〜２３ｂ  蓋部
２ｃ  左端部
２ｄ  右端部
２ｅ，２ｇ  上端部
２ｆ  下端部
２ｈ  マチ部
３  スリーブ箱
４  蓋箱
４ａ  貫通窓
５  身箱
６  ミシン目
７ａ，７ｂ  矢印
８  嗽薬
２１  薬剤無し紙コップ
【図１】
0003212432.tif 000003
【図２】
0003212432.tif 000004
【図３】
0003212432.tif 000005
【図４】
0003212432.tif 000006
【図５】
0003212432.tif 000007